(57)【要約】【課題】寝ホンに適した耳装着型音響装置を提供する。【解決手段】音響装置１は、音響ユニット３００と皮膚接触部材４００とを有する。音響ユニット３００は、一端部３１０から音を放出する。音響ユニット３００は、硬質体である。音響ユニット３００は、側方から視たときに、他端部３２０を除く大部分が皮膚接触部材３００で覆われている。音響ユニット３００は、一端部３１０を一般的な成人の外耳孔１０１０に余裕をもって挿入できる程に小径であり、且つ、その全体を一般的な成人の耳甲介腔１０２０に余裕をもって収容可能な程に短寸である。音響ユニット３００は、胴部３３０を有する。一端部３１０、胴部３３０及び他端部３２０は、互いに同軸に配置されている。皮膚接触部材４００は、柔軟性及び弾力性を有する軟質体である。皮膚接触部材４００は、音響ユニット３００を外耳道１０３０に向けて保持する。【選択図】図５
2020109898.tif 000002
【特許請求の範囲】
【請求項１】
耳に装着して使用する音響装置であって、
前記音響装置は、
音響ユニットと、皮膚接触部材と、を有し、
前記音響ユニットは、その一端部から音を放出する装置であり、
前記音響ユニットは、硬質体であり
前記音響ユニットは、側方から視たときに、その全体が前記皮膚接触部材で覆われているか又はその他端部を除く大部分が前記皮膚接触部材で覆われており、
前記音響ユニットは、少なくとも前記一端部を一般的な成人の外耳孔に余裕をもって挿入できる程に小径であり、且つ、その全体を一般的な成人の耳甲介腔に余裕をもって収容可能な程に短寸であり、
前記音響ユニットは、前記一端部と前記他端部とを有し、
前記一端部と前記他端部との間には胴部が存在し、
前記一端部、前記胴部及び前記他端部は、互いに同軸又は略同軸に配置されており、
前記皮膚接触部材は、柔軟性及び弾力性を有する軟質体であり、
前記皮膚接触部材は、前記音響ユニットを外耳道に向けて保持する、音響装置。
【請求項２】
前記他端部は、前記他端部から前記胴部の外周よりも外方に出っ張った出張部を有し、
前記皮膚接触部材は、前記出張部を受け入れ可能な切欠部を有する、請求項１の音響装置。
【請求項３】
前記出張部は、前記他端部に設けられたブッシングであり、
前記音響ユニットから前記ブッシングを通してケーブルが引き出されている、請求項２の音響装置。
【請求項４】
前記音響ユニットは、電気音響変換器を内蔵しており、
前記電気音響変換器は、前記胴部に収容されており、
前記電気音響変換器の放音部は、前記一端部又は前記一端部と前記胴部との境界部に位置し、
前記胴部は、円筒状であり、
前記電気音響変換器は、円柱状であり、
前記電気音響変換器の側面は、前記胴部の内面に近接又は接触しており、
前記胴部の前記電気音響変換器よりも前記他端部側に存在する余剰空間において、前記電気音響変換器の信号入力端子と前記ケーブルとが互いに電気的に接続されており、
前記余剰空間の容積は、前記音響変換器の体積よりも小さい、請求項１乃至３のいずれかの音響装置。
【請求項５】
前記一端部及び前記他端部の形状は、円板状又は外方に突出する球状であり、
前記胴部の形状は、円柱状である、請求項１乃至４のいずれかの音響装置。
【請求項６】
前記音響装置を耳に装着したときに、
前記一端部は外耳孔に収容され得る、請求項１乃至５のいずれかの音響装置。
【請求項７】
前記耳装着体を前記耳に装着したときに、前記放音部は前記外耳道内に配置され、前記電気音響変換器の前記放音部とは反対側の端部は前記外耳道外に配置される請求項１乃至６のいずれかの音響装置。
【請求項８】
前記皮膚接触部材は、前記電気音響変換器の全体が前記外耳道内に配置される程に前記耳装着体が前記外耳道に深く挿入されるのを防止する過度挿入防止部材として機能する請求項１乃至７のいずれかの音響装置。
【請求項９】
一端部、胴部及び他端部が互いに略同軸に配置され、当該一端部から放音する音響ユニットを外耳道に向けて保持する皮膚接触部材であって、
前記皮膚接触部材は、前記音響ユニットに前記一端部側から装着され、
前記皮膚接触部材は、側方から視たときに、前記音響ユニットの全体又は大部分を覆い、
前記皮膚接触部材は、柔軟性及び弾力性を有し、
前記皮膚接触部材は、前記他端部から前記胴部の外周よりも外方に出っ張った出張部を受け入れ可能な切欠部を有する、皮膚接触部材。
【請求項１０】
前記切欠部は、前記ケーブルを保護するべく前記他端部に設けられたブッシングを受け入れ可能である、請求項７の皮膚接触部材。
【発明の詳細な説明】
【技術分野】
【０００１】
本発明は、耳装着型の音響装置に関する。
【背景技術】
【０００２】
寝ながら使えるイヤホンは知られている。この種のイヤホンは、ハウジングを小型化することにより、耳から出っ張る部分を少なくしている。
【発明の概要】
【発明が解決しようとする課題】
【０００３】
しかし、従来のイヤホンは、硬いハウジングが耳の皮膚に接触するため、長時間装着していると痛みを伴う。
【０００４】
本発明が解決しようとする課題は、寝ながらの使用に適した耳装着型の音響装置を提供することにある。
【課題を解決するための手段】
【０００５】
一実施形態の音響装置は、
耳に装着して使用する音響装置であって、
前記音響装置は、
音響ユニットと、皮膚接触部材と、を有し、
前記音響ユニットは、その一端部から音を放出する装置であり、
前記音響ユニットは、硬質体であり
前記音響ユニットは、側方から視たときに、その全体が前記皮膚接触部材で覆われているか又はその他端部を除く大部分が前記皮膚接触部材で覆われており、
前記音響ユニットは、少なくとも前記一端部を一般的な成人の外耳孔に余裕をもって挿入できる程に小径であり、且つ、その全体を一般的な成人の耳甲介腔に余裕をもって収容可能な程に短寸であり、
前記音響ユニットは、前記一端部と前記他端部とを有し、
前記一端部と前記他端部との間には胴部が存在し、
前記一端部、前記胴部及び前記他端部は、互いに同軸又は略同軸に配置されており、
前記皮膚接触部材は、柔軟性及び弾力性を有する軟質体であり、
前記皮膚接触部材は、前記音響ユニットを外耳道に向けて保持する。
【図面の簡単な説明】
【０００６】
【図１】一実施形態に係る音響装置の側面図である。
【図２】図１に示す音響装置の断面図である。
【図３】図２に示されている音響ユニット及び皮膚接触部材が互いに分離している状態を示す概念図である。
【図４】図２に示されている音響ユニットの６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図５】図１に示す音響装置の使用状態の断面図である。
【図６】図１に示す音響装置の使用状態の側面図である。
【図７】別の一実施形態に係る音響装置の断面図である。
【図８】更に別の一実施形態に係る音響装置の断面図である。
【図９】更に別の一実施形態に係る音響装置の断面図である。
【図１０】更に別の一実施形態に係る音響装置の断面図である。
【図１１】更に別の一実施形態に係る音響装置の断面図である。
【図１２】図１１に示されている皮膚接触部材の斜視図（図面代用写真）である。
【図１３】図１１に示されている皮膚接触部材の別の斜視図（図面代用写真）である。
【図１４】図１１に示されている皮膚接触部材の側面図（図面代用写真）である。
【図１５】図１０又は図１１に示す音響装置の使用状態の側面図である。
【図１６】更に別の一実施形態に係る音響装置の側面図である。
【図１７】図１６に示す音響装置の背面図である。
【図１８】図１６に示す音響装置の音響ユニット及び皮膚接触部材が互いに分離している状態を示す概念図である。
【図１９】図１８に示されている音響ユニットの雌部材及び雄部材が互いに分離した状態を示す側面図である。
【図２０】図１８に示されている皮膚接触部材の６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図２１】更に別の一実施形態に係る音響装置の断面図である。
【図２２】図２１に示されている音響ユニット及び皮膚接触部材が互いに分離している状態を示す概念図である。
【図２３】図２２に示されている音響ユニットの雌部材及び雄部材が互いに分離した状態を示す側面図である。
【図２４】図２３に示されている皮膚接触部材の６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図２５】更に別の一実施形態に係る音響装置の断面図である。
【図２６】図２５の音響装置が備える皮膚接触部材の６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図２７】更に別の一実施形態における皮膚接触部材の６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図２８】更に別の一実施形態における皮膚接触部材の６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図２９】更に別の一実施形態における皮膚接触部材の６面図である。（Ａ）は左右いずれか一方の側面図である。（Ｂ）は左右いずれか他方の側面図である。（Ｃ）は正面図である。（Ｄ）は背面図である。（Ｅ）は平面図である。（Ｆ）は底面図である。
【図３０】更に別の一実施形態に係る音響装置の概念図である。
【図３１】更に別の一実施形態に係る音響装置の断面図である。
【発明を実施するための形態】
【０００７】
［第１実施形態］
(構成）
図１乃至図４に示す音響装置１は、図５及び図６に示すように耳１０００に装着して使用する音響装置である。音響装置１は、一つ又は二つの耳装着体１００と、耳装着体１００から延びるケーブル２００と、を有する。一つの耳装着体１００のみを有するイヤホン１の場合、耳装着体１００は、左耳又は右耳に装着される。二つの耳装着体１００を有するイヤホン１の場合、二つの耳装着体１００のうちの一方は左耳に装着され、他方は右耳に装着される。
【０００８】
図２及び図３に示すように、耳装着体１００は、音響ユニット３００と、皮膚接触部材４００と、を有する。耳装着体１００は、耳１０００に装着したときに耳１０００から出っ張らないように構成されている。
【０００９】
音響ユニット３００は、硬質体である。ここで硬質とは、例えば、人の握力程度の力では容易に潰れない硬いという意味であり、ダイヤモンド程に硬いという意味ではない。また、ここで硬質とは、それが皮膚接触部材４００よりもはるかに硬いことを意味する。音響ユニット３００は、略円柱形状の小型のユニットである。音響ユニット３００は、少なくともその先端部（一端部）を一般の成人の外耳孔１０１０（図５参照）に余裕をもって挿入できる程に小径であり、且つ、その全体を一般の成人の耳甲介腔１０２０（図６参照）に余裕をもって収容できる程に短寸である。音響ユニット３００の径寸法φ２は８ｍｍ以下（より好ましくは６ｍｍ以下）である。音響ユニット３００の全長Ｌ２は、１８ｍｍ（より好ましくは１３ｍｍ）以下である。
【００１０】
音響ユニット３００は、放音側端部（一端部）３１０と非放音側端部（他端部）３２０と胴部３３０とを有する。放音側端部３１０及び非放音側端部３２０の形状は、周縁部３１０ａ、３２０ａが丸みを帯びた略円板状である。放音側端部３１０及び非放音側端部（他端部）３２０は、互いに同軸に配置されている。
【００１１】
胴部３３０は、放音側端部３１０と非放音側端部（他端部）３２０との間に存在する。すなわち、胴部３３０は、放音側端部３１０と非放音側端部３２０とを繋ぐ部分である。胴部３３０の形状は、円柱状である。
【００１２】
図１及び図２に示すように、音響ユニット３００は、非放音側端部３２０を除いて大部分が皮膚接触部材４００で覆われている。
【００１３】
図３に示すように、音響ユニット３００は、電気音響変換器１５０を内蔵している。電気音響変換器１５０は、胴部３３０に収容されている。電気音響変換器１５０の放音部１５０ａは、放音側端部３１０と胴部３３０との境界部に位置している。胴部３３０及び電気音響変換器１５０は、共に円柱状である。電気音響変換器１５０の側面１５０ｂは、胴部３３０を成すケーシング本体３４１の内面に近接又は接触している。胴部３３０の電気音響変換器１５０よりも端部材３４２側に存在する余剰空間３３０ａにおいて、電気音響変換器１５０の信号入力端子とケーブル２００とが互いに電気的に接続されている。余剰空間３３０ａの容積は、電気音響変換器１５０の体積よりも小さい。
【００１４】
図２及び図３に示すように、音響ユニット３００は、ケーシング３４０を有する。ケーシング３４０の外形状は、音響ユニット３００の外観を構成する。ケーシング３４０は、円筒カプセル型の部材である。
【００１５】
ケーシング３４０は、ケーシング本体３４１と端部材３４２とを有する。ケーシング本体３４１は、音響ユニット３００の放音側端部３１０及び胴部３３０を構成する。ケーシング本体３４１は、金属製又は樹脂製である。
【００１６】
端部材３４２は、ケーシング本体３４１に固定されている。端部材３４２は、ケーシング本体３４１の開口端（図示右端）を閉塞している。端部材３４２は、音響ユニット３００の非放音側端部３２０を構成する。端部材３４２の外径は、ケーシング本体３４１の外径と等しい。端部材３４２の一部は、胴部３３０の一部を構成する。端部材３４２は、金属製又は樹脂製である。
【００１７】
図２に示すように、ケーシング本体３４１には、電気音響変換器１５０が収容されている。電気音響変換器１５０は、入力電気信号に基づく放音（音響再生）を行う。電気音響変換器１５０は、ケーシング本体３４１に固定されている。電気音響変換器１５０は、ケーシング本体３４１の先端側に配置されている。電気音響変換器１５０の形状は、円柱状である。電気音響変換器１５０は、ケーシング本体３４１と互いに同軸に配置されている。 
【００１８】
ケーシング本体３４１は、電気音響変換器１５０を覆っている。ケーシング本体３４１は、電気音響変換器１５０を保護する。ケーシング本体３４１は、電気音響変換器１５０の放音部１５０ａを覆う端板部３４１ａと、電気音響変換器１５０の側面１５０ｂを覆う円筒部３４１ｂと、を有する。
【００１９】
端板部３４１ａには、放音部１５０ａからの音が通る複数の貫通孔が設けられている。円筒部３４１ｂは、胴部３３０の大部分を構成する。円筒部３４１ｂは、電気音響変換器１５０の側面１５０ｂに接触又は近接している。円筒部３４１ｂの内側には、電気音響変換器１５０をケーシング本体３４１に固定する固定部３４３が形成されている。固定部３４３の実例として、電気音響変換器１５０とケーシング本体３４１とを互いに接着固定する接着材を挙げることができる。固定部３４３の別の実例として、電気音響変換器１５０とケーシング本体３４１との相対移動を防止するべくケーシング本体３４１に固定された部材を挙げることができる。
【００２０】
ケーブル２００は柔軟である。ケーブル２００は、図示しない再生装置からの電気信号を電気音響変換器１５０に伝達する 。ケーブル２００の一端は、電気音響変換器１５０に電気的に接続されている。具体的には、ケーブル２００の一端から一対のリード線２０１、２０２が引き出され、各リード線２０１、２０２が電気音響変換器１５０の信号入力端子１５１、１５２にそれぞれ接続されている。ケーブル２００の他端側は、端部材３４２に設けられた貫通孔３４２ａを通してケーシング３４０の外に延びている。端部材３４２内には、耳装着体１００からのケーブル２００の抜けを防止する抜け止め２１０が設けられている。
【００２１】
ケーシング本体３４１の電気音響変換器１５０よりも端部材３４２側に存在する空間は、余剰空間３３０ａ（図３参照）である。この例では、余剰空間３３０ａの容積は、端部材３４２の体積（内部空間の容積を含む）よりも小さい。
【００２２】
図１乃至図３に示すように、皮膚接触部材４００は、略球形の部材である。皮膚接触部材４００は、非貫通型である。すなわち、皮膚接触部材４００は、これを貫通する孔を有していない。
【００２３】
皮膚接触部材４００は、柔軟性及び弾力性を有する。皮膚接触部材４００は、圧縮されると変形する。皮膚接触部材４００は、圧縮されなくなると、元の形状に戻る。皮膚接触部材４００は、遮音性を有する。このような皮膚接触部材４００の素材の例として、発泡ウレタン及びシリコーンを挙げることができる。
【００２４】
図３に示すように、皮膚接触部材４００は、収容室（空洞）４０１を有する。収容室４０１は、皮膚接触部材４００の後端（反挿入側端部）４０２に開口している。収容室４０１の形状は円柱状である。収容室４０１は、皮膚接触部材４００の後端４０２から、先端４０３の近傍まで延びている。収容室４０１は、皮膚接触部材４００の径方向に延びている。収容室４０１の端面（最奥面）４０１ａは、先端４０３側に凹んだ球状曲面になっている。収容室４０１の径寸法φ１は、音響ユニット３００の胴部３３０の径寸法φ２よりも小さい。ここで言及する形状及び寸法（大きさの比較を含む）は、皮膚接触部材４００が変形していない状態での形状及び寸法である。
【００２５】
図２に示すように、皮膚接触部材４００は、収容室４０１内に、音響ユニット３００の大部分を収容する。皮膚接触部材４００は、収容室４０１内に、放音側端部３１０及び胴部３３０を完全に収容する。皮膚接触部材４００は、収容室４０１内に、非放音側端部３２０の一部（大部分）を収容する。収容室４０１は、音響ユニット３００の形状に倣って変形する。収容室４０１の端面４０１ａは、端板部３４１ａに近接又は接する。収容室４０１の周面４０１ｂは、放音側端部３１０、非放音側端部３２０及び胴部３３０の周面に接する。
【００２６】
収容室４０１の周面４０１ｂと放音側端部３１０、非放音側端部３２０及び胴部３３０の周面との間の圧接力（摩擦力）により、音響ユニット３００からの皮膚接触部材４００の外れが防止される。皮膚接触部材４００は、これを音響ユニット３００から剥がすことにより、交換可能である。
【００２７】
(作用）
図５及び図６に示すように、耳装着体１００は、皮膚接触部材４００の一部を外耳道１０３０内に挿入した状態で、耳１０００に装着される。皮膚接触部材４００は、音響ユニット３００を外耳道１０３０の奥に向けて保持する。皮膚接触部材４００は、外耳道孔１０１０を閉塞可能である。この例では、皮膚接触部材４００は、外耳道孔１０１０を閉塞している。すなわち、皮膚接触部材４００は、外耳道１０３０の入口及び入り口近くの内壁１０３０ａに密接している。
【００２８】
耳装着体１００を耳１０００に装着したとき、音響ユニット３００は、その放音側端部３１０の全体及び胴部３３０の一部は外耳道孔１０１０に挿入されている。耳装着体１００を耳１０００に装着したときに、音響ユニット３００が外耳道孔１０１０に深く挿入されるわけではない。皮膚接触部材４００は、音響ユニット３００が外耳道孔１０１０に過度に深く挿入されることを防止する。皮膚接触部材４００は柔軟ではあるが、外耳道孔１０１０への耳装着体１００の過度な過度な挿入を防止し得る寸法、形状、弾性的反発力及び圧縮時の体積を有している。したがって、耳装着体１００を耳１０００に装着した状態においても、電気音響変換器１５０の後端部（反挿入側端部）１５０ｂは外耳道１０３０に収容されない。電気音響変換器１５０は、皮膚接触部材４００が外耳道１０３の想定挿入位置に達するまで挿入されたときに、外耳道１０３０に一部だけしか包含されない。すなわち、電気音響変換器１５０の放音部１５０ａ側の部分は外耳道１０３０に収容され得るが、電気音響変換器１５０の全体が外耳道１０３０に収容されるわけではない。ただし、耳装着体１００を無理に外耳道１０３０に押し込んだ場合には、電気音響変換器１５０の全体が外耳道１０３０内に配置される可能性がある。しかし、ここでは耳装着体１００のそのような装着の仕方は想定していない。
【００２９】
音響装置１の構成要素のうち、耳装着体１００を耳１０００に装着したときに耳１０００に接触する部分は、皮膚接触部材４００のみである。すなわち、音響ユニット３００は、非放音側端部３２０を除いて大部分が皮膚接触部材４００で覆われているため、耳１０００に接触しない。
【００３０】
耳装着体１００は、外耳道１０３０及び耳甲介腔１０２０からなる空間に収容され、耳１０００から出っ張らない。耳装着体１００が耳１０００から出っ張らないということは、厳密には、耳装着体１００を装着している状態の耳１０００を前後上下のどの方向から見ても、耳装着体１００を視認できないということである。図６中には、前後方向が矢印Ｆ及びＲにより、上下方向が矢印Ｕ及びＤにより、それぞれ示されている。
【００３１】
仮に、前後上下のいずれかの方向から耳装着体１００を視認できる場合でも、それは皮膚接触部材４００の一部を視認できるに過ぎない。すなわち、耳装着体１００の構成要素の一つである皮膚接触部材４００の一部が耳１０００から出っ張ることはあり得る。むしろ、皮膚接触部材４００の一部が耳１０００から出っ張ることは想定内である。耳１０００の大きさ及び形、そして耳装着体１００の装着の仕方は千差万別だからである。この場合でも、音響ユニット３００は耳１０００から出っ張らない。
【００３２】
このように、音響装置１は、音響ユニット３００の大部分が柔軟な皮膚接触部材４００で覆われた構造の耳装着体１００を備えているので、耳装着体１００の耳１０００への装着感が良好で、長時間着けていても耳が痛くなり難い。また、耳装着体１００を耳１０００に装着した状態において、耳装着体１００が耳１０００から出っ張らないので、耳装着体１００を耳１０００に装着した状態で、耳１０００を枕など当接対象 （不図示）に当てても、耳装着体１００が当接対象と干渉し難い。耳装着体１００が当接対象と干渉する場合でも、それは皮膚接触部材４００が当接対象と干渉するに過ぎない。すなわち、音響ユニット３００は全くといってよいほど当接対象と干渉しない。音響ユニット３００が当接対象と干渉したとしても、音響ユニット３００と耳１０００の皮膚との間に皮膚接触部材４００が介在するため、音響ユニット３００が耳１０００の皮膚に接触することはない。したがって、この音響装置１は、寝ホンすなわち、ユーザが寝ながら音楽などを聴く態様での使用に適している。
【００３３】
また、音響装置１は、音響ユニット３００が外耳孔１０１０に余裕をもって挿入できる程に小径であるが、外耳道１０３０内への耳装着体１００の過度に深い挿入が、皮膚接触部材４００によって防止されるので、安全である。また、この構成により、音響ユニット３００と外耳道１０３０の内壁１０３０ａとの間に介在する皮膚接触部材４００の肉厚を比較的大きく確保し得る。この構成は、耳装着体１００の遮音性能を高めるうえで極めて有利であるだけでなく、硬質の音響ユニット３００から外耳道１０３０を保護するうえでも極めて有利である。
【００３４】
また、音響装置１は、皮膚接触部材４００の材質（成分、密度、硬度、等）によって種々の音響特性を得ることができる。また、音響装置１は、外耳道１０３０内への耳装着体１００の過度な押し込みを皮膚接触部材４００によって防止する構造故、皮膚接触部材４００の音響ユニット３００よりも前方（外耳道１０３０側）に位置する部分４０５の肉厚を比較的大きくすることが可能である。よって、皮膚接触部材４００の材質及び当該部分４０５の肉厚によって種々の音響特性を得ることができる。電気音響変換器１５０の放音部１５０ａから出た音が皮膚接触部材４００を通って外耳道１０３０側の空間に放音されるまでの音響距離を当該部分４０５の肉厚によって変化させることができるからである。
【００３５】
また、音響装置１は、非貫通型の皮膚接触部材４００を備えているので、低音再現性が良い。すなわち、皮膚接触部材４００の遮音性（吸音性）により、電気音響変換器１５０の放音部１５０ａから出た音の低域成分が高域成分に対し相対的に増幅される。
【００３６】
また、音響装置１は、電気音響変換器１５０の振動（放音部１５０ａから出た音及び電気音響変換器１５０自体の振動を含む）を、皮膚接触部材４００を介して外耳道１０３０の内壁１０３０ａに伝達し得る。すなわち、電気音響変換器１５０による再生音を、空気の振動のみならず、 皮膚及び骨の振動によって、聴覚器官（耳小骨、渦巻管、等）に伝達し得る。このことは、再生音の可聴性に有利に働く可能性がある。
【００３７】
［第２実施形態］
以下の説明において、第１実施形態において示したものと同一の又は機能が共通する構成要素については、第１実施形態と同じ符号を付してその説明を適宜省略する。
【００３８】
図７に示す音響装置２は、貫通型の皮膚接触部材４２０を備えている。すなわち、皮膚接触部材４２０は、収容室４０１から先端４０３に連通する貫通孔４０４を有している。この皮膚接触部材４２０は、図２の構造の皮膚接触部材４００と比較して、電気音響変換器１５０の放音部１５０ａから出た音が透過しやすい。すなわち、電気音響変換器１５０の放音部１５０ａから出た音の一部は、貫通孔４０４を通って外耳道１０３０の奥側（鼓膜側）の空間に放音され得る。このため、図７の構造の皮膚接触部材４２０を備えた音響装置２は、図２の構造の皮膚接触部材４００ を備えた音響装置１と比較して、高音再現性が良くなる可能性がある。音響装置２のその他の効果は、音響装置１と同様である。
【００３９】
音響装置２の高音再現性をより良くするためには、貫通孔４０４の径寸法は、より大きいことが好ましい。中低音再現性をより良くするためには、貫通孔４０４の径寸法は、より小さいことが好ましい。中低音再現性をより良くするためには、貫通孔４０４の径寸法は、非圧縮状態で３ｍｍ以下であることが好ましい。また、中低音再現性をより良くするために、電気音響変換器１５０の放音部１５０ａとケーシング本体３４１の端板部３４１ａとの間に、吸音部材（不図示）を設けることが好ましい。
【００４０】
［第３実施形態］
図８に示す音響装置３は、音響ユニット３００の全体が皮膚接触部材４００で覆われている。この音響ユニット３００の全長Ｌ２は、図３に示す音響ユニット３００の全長Ｌ１よりも小さい。この例では、音響ユニット３００の非放音側端部３２０の端面３２０ｂと皮膚接触部材４００の後端４０２とが一致している。この構成により、より球形に近い耳装着体１００を備えた音響装置３が実現される。音響装置３のその他の効果は、音響装置２と同様である。
【００４１】
［第４実施形態］
図９に示す音響装置４は、貫通型の皮膚接触部材４２０を備えている。この構成により、図８の音響装置３よりも高音再現性の良い音響装置４が実現される。音響装置４のその他の効果は、音響装置３と同様である。
【００４２】
［第５実施形態］
図１０に示す音響装置５は、非貫通型の皮膚接触部材４３０を備えている。皮膚接触部材４３０の外径は、後端４３２から先端４３３に向かって漸次小さくなっている。この構成により、図８に示す耳装着体１００よりも外耳道１０３０によりフィットしやすい耳装着体１００を備えた音響装置５を実現し得る。音響装置５のその他の効果は、耳装着体１００の形状の違いを除き、音響装置３と同様である。図１５には、音響装置５の着用状態が示されている。
【００４３】
［第６実施形態］
図１１に示す音響装置６は、貫通型の皮膚接触部材４４０を備えている。図１１乃至図１４に示すように、皮膚接触部材４４０の外径は、後端４４２から先端４４３に向かって漸次小さくなっている。この構成により、図１０の音響装置５よりも高音再現性の良い音響装置６が実現される。音響装置６のその他の効果は、音響装置５と同様である。図１５には、音響装置６の着用状態が示されている。
【００４４】
［第７実施形態］
図１６乃至図１８に示す音響装置７は、貫通型の皮膚接触部材４５０を有する。音響ユニット３００の非放音側端部３２０には、ブッシング（張出部）３２１が設けられている。ブッシング３２１は、非放音側端部３２０から胴部３３０の外周よりも外方に出っ張っている。
ケーブル２００は、音響ユニット３００からブッシング３２１を通して引き出されている。
【００４５】
図１６に示すように、音響ユニット３００は、ブッシング３２１の一部を除き、音響ユニット３００のほぼ全体が皮膚接触部材４５０で覆われている。この例では、ブッシング３２１の先端部（図１６では下端部）３２１ａが、皮膚接触部材４５０の外周面から僅かに突出している。
【００４６】
図２０に示すように、皮膚接触部材４５０の正面及び背面から視た形状は円形である。皮膚接触部材４５０の外径は、後端４３２から先端４３３まで同じ寸法である。
【００４７】
図１８及び図２０に示すように、皮膚接触部材４５０は、ケーブル２００を受け入れる切欠部４５１を有する。この例では、皮膚接触部材４５０は、ケーブル２００が通っているブッシング３２１を受け入れる切欠部４５１を有する。切欠部４５１は、皮膚接触部材４５０の後端部の周方向における一部を矩形状に切り欠くことにより形成されている。切欠部４５１は、皮膚接触部材４５０の外周面４５０ａと内周面４５０ｂとに連通している。
【００４８】
音響装置７は、リケーブル用の端子装置５００を備えている。端子装置５００は、雌部材５１０と雄部材５２０とにより構成される。端子装置５００は、端子部５０１を除き樹脂製である。雌部材５１０及び雄部材５２０は、互いに分離可能に構成されている。雌部材５１０及び雄部材５２０は、互いに再接続可能に構成されている。すなわち、雌部材５１０及び雄部材５２０は、互いに接続（結合）し又は互いを分離することが可能である。
【００４９】
音響ユニット３００のケーシング３４０は、ケーシング本体３４１と雌部材５１０により構成される。雌部材５１０は、ケーシング本体３４１の胴部３３０に固定されている。雌部材５１０は、ケーシング本体３４１の開口端（図示右端）を閉塞している。雌部材５１０は、音響ユニット３００の非放音側端部３２０の一部を構成する。雌部材５１０の外径は、ケーシング本体３４１の外径と等しい。雌部材５１０の一部は、胴部３３０の一部を構成する。
【００５０】
雌部材５１０は、雄部材５２０と接合する端面５１０ａを有する。端面５１０ａは、音響ユニット３００の軸方向（矢印Ｆ及び矢印Ｒにより示される方向）と直交している。
雌部材５１０は、雌端子５１１を有する。雌端子５１１は、端面５１０ａに開口した凹部５１０ｂに設けられている。雌端子５１１は、一対の電極（信号用及びグラウンド用）を有する。雌端子５１１の各電極は、電気音響変換器１５０の信号入力端子１５１、１５２（図２参照）にそれぞれ電気的に接続されている。
【００５１】
雄部材５２０は、ケーブル２００の一端に接続されている。雄部材５２０には、ブッシング３２１が設けられている。ブッシング３２１は、音響ユニット３００の軸方向（矢印Ｆ及び矢印Ｒにより示される方向）と直交する方向（矢印Ｕ及び矢印Ｄにより示される方向）に延びている。
【００５２】
雄部材５２０は、雌端子５１１の凹部５１０ｂと嵌合する凸部５２０ａを有する。雄部材５２０は、雄端子５２１を有する。
【００５３】
雄端子５２１は、凸部５２０ａに設けられている。雄端子５２１は、一対の電極（信号用及びグラウンド用）を有する。雄端子５２１の各電極には、ケーブル２００一端から引き出されたリード線２０１、２０２（図２参照）が電気的に接続されている。
【００５４】
端子装置５００は、図１８に示すように、雌部材５１０及び雄部材５２０を互いに接続することにより、雌端子５１１の一対の電極と雄端子５２１の一対の電極とが互いに接続されるように構成されている。
端子装置５００は、図１９に示すように、雌部材５１０及び雄部材５２０を互いに分離することにより、雌端子５１１の一対の電極と雄端子５２１の一対の電極との互いの接続が解除されるように構成されている。
端子装置５００の例として、ＭＭＣＸに代表される同軸構造の端子装置を挙げることができる。端子装置５００の別の例として、２ピン構造の端子装置を挙げることができる。
【００５５】
上記のように、音響装置７は、皮膚接触部材４５０に切欠部４５１が設けられているので、皮膚接触部材４５０とブッシング３２１との干渉を回避しつつ、音響ユニット３００のほぼ全体を皮膚接触部材４５０で覆うことができる。
【００５６】
音響装置７は、リケーブル用の端子装置５００を備えているので、任意のケーブル２００を使用することができる。したがって、無線モジュール（不図示）に接続されたケーブル２００を使用することにより、送信器（不図示）から無線送信された信号に基づいて音声を再生可能な音響装置７を実現することができる。送信器の例として、オーディオプレイヤ、スマートフォン 、等、オーディオコンテンツ提供装置を挙げることができる。無線モジュールは、受信部と電池と操作部と制御部とを有する。受信部は、送信器から無線送信された信号を受信する。受信部と送信器との間の通信プロトコルとして、Ｗｉ−Ｆ ｉ（登録商標）、ブルートゥース（登録商標）、または他のプロトコルを使用することができる。 
【００５７】
音響装置７のその他の効果は、音響装置６と同様である。なお、音響装置７は、皮膚接触部材４５０の外径が、後端４３２から先端４３３まで同じ寸法であるので、音響装置６と比較して外耳道１０３０への挿入のし易さが劣る可能性がある。しかしながら、音響装置７は、音響装置６と比較して遮音性が向上する可能性がある。
【００５８】
［第８実施形態］
図２１及び図２２に示す音響装置８は、貫通型の皮膚接触部材４６０を有する。放音側端部３１０及び非放音側端部３２０は、互いに略同軸に配置されている。
音響ユニット３００の非放音側端部３２０には、ブッシング３２１が設けられている。
ケーブル２００は、音響ユニット３００からブッシング３２１を通して引き出されている。
ブッシング３２１は、音響ユニット３００の軸方向（矢印Ｆ及び矢印Ｒにより示される方向）と斜めに交差する方向に延びている。
この例では、ブッシング３２１の軸方向（矢印Ｐ及び矢印Ｑにより示される方向）と、音響ユニット３００の軸方向との間の角度θが略４５度に選定されている。ブッシング３２１は、非放音側端部３２０から斜め後方に突出している。
【００５９】
図２４に示すように、皮膚接触部材４６０の正面及び背面から視た形状は円形である。
皮膚接触部材４６０は、ケーブル２００を受け入れる切欠部４６１を有している。
この例では、皮膚接触部材４６０は、ケーブル２００が通っているブッシング３２１を受け入れる切欠部４６１を有する。
切欠部４６１は、皮膚接触部材４６０の後端部の内周部を環状に切り欠くことにより形成されている。切欠部４６１は、皮膚接触部材４６０の後端４３２の近傍４６０ｃから後端４３２に向かって漸次拡径している。
【００６０】
音響装置８は、リケーブル用の端子装置６００を備えている。
端子装置６００は、雌部材６１０と雄部材６２０とにより構成される。
端子装置６００は、端子部６０１を除き樹脂製である。
雌部材６１０及び雄部材６２０は、互いに分離可能に構成されている。
雌部材６１０及び雄部材６２０は、互いに再接続可能に構成されている。
すなわち、雌部材６１０及び雄部材６２０は、互いに接続（結合）し又は互いを分離することが可能である。
【００６１】
音響ユニット３００のケーシング３４０は、ケーシング本体３４１と雌部材６１０とにより構成される。
雌部材６１０は、ケーシング本体３４１の胴部３３０に固定されている。
雌部材６１０は、ケーシング本体３４１の開口端（図示右端）を閉塞している。
雌部材６１０は、音響ユニット３００の非放音側端部３２０の一部を構成する。
雌部材６１０の外径は、ケーシング本体３４１の外径と等しい。
【００６２】
雌部材６１０は、雄部材６２０と接合する端面６１０ａを有する。
端面６１０ａは、音響ユニット３００の軸方向（矢印Ｆ及び矢印Ｒにより示される方向）と斜めに交差している。
この例では、端面６１０ａと、音響ユニット３００の軸方向との間の角度は略４５度に選定されている。
【００６３】
雌部材６１０は、雌端子６１１を有する。
雌端子６１１は、端面６１０ａに開口した凹部６１０ｂに設けられている。
雌端子６１１は、一対の電極を有する。
雌端子６１１の各電極は、電気音響変換器１５０の信号入力端子１５１、１５２（図２参照）にそれぞれ電気的に接続されている。
【００６４】
雄部材６２０は、ケーブル２００の一端に接続されている。
雄部材６２０には、ブッシング３２１が設けられている。
ブッシング３２１の軸方向は、端面６１０ａと直交している。
【００６５】
雄部材６２０は、雌端子６１１の凹部６１０ｂと嵌合する凸部６２０ａを有する。
雄部材６２０は、雄端子６２１を有する。
【００６６】
雄端子６２１は、凸部６２０ａに設けられている。
雄端子６２１は、一対の電極を有する。
雄端子６２１の各電極には、ケーブル２００一端から引き出されたリード線１５１、１５２（図２参照）が電気的に接続されている。
【００６７】
端子装置６００は、図２１に示すように、雌部材６１０及び雄部材６２０を互いに接続することにより、雌端子６１１の一対の電極と雄端子６２１の一対の電極とが互いに接続されるように構成されている。
端子装置６００は、図２３に示すように、雌部材６１０及び雄部材６２０を互いに分離することにより、雌端子６１１の一対の電極と雄端子６２１の一対の電極との互いの接続が解除されるように構成されている。
端子装置６００の例として、ＭＭＣＸに代表される同軸構造の端子装置を挙げることができる。端子装置６００の別の例として、２ピン構造の端子装置を挙げることができる。
【００６８】
上記のように、音響装置８は、皮膚接触部材４６０に切欠部４６１が設けられているので、皮膚接触部材４６０とブッシング３２１との干渉を回避しつつ、音響ユニット３００のほぼ全体を皮膚接触部材４６０で覆うことができる。音響装置８は、リケーブル用の端子装置６１０を備えているので、任意のケーブル２００を使用することができる。音響装置８のその他の効果は、音響装置７と同様である。
【００６９】
［第９実施形態］
図２５に示す音響装置９は、非貫通型の皮膚接触部材４７０を有する。この構成により、図２１の音響装置８よりも低音特性の良い音響装置９が実現される。音響装置９のその他の効果は、音響装置８と同様である。図２６に示すように、皮膚接触部材４７０の正面及び背面から視た形状は円形である。
【００７０】
なお、本発明の実施形態は上記の実施形態に限定されるものではなく、本発明の技術的思想の趣旨を逸脱しない範囲において様々に変更、置換、変形されてもよい。
【００７１】
例えば、図２７に示す皮膚接触部材４８０の正面及び背面から視た形状は楕円形である。第８実施形態において、音響装置８は、正面及び背面から視て円形の皮膚接触部材４６０、４７０を備えているが、図２７に示すような、楕円形の皮膚接触部材４８０を備えてもよい。楕円形の皮膚接触部材４８０は、円形の皮膚接触部材４６０よりも外耳道１０３０にフィットしやすい。外耳道１０３０の入口付近の断面形状が円形よりも楕円形に近いからである。
【００７２】
また、第７実施形態においても、円形の皮膚接触部材４５０の代わりに、図２８に例示する楕円形の皮膚接触部材４８１を使用することで、外耳道１０３０への耳装着体１００のフィット感を向上させることができる。
【００７３】
また、第９実施形態においても、円形の皮膚接触部材４７０の代わりに、図２９に例示する楕円形の皮膚接触部材４８２を使用することで、外耳道１０３０への耳装着体１００のフィット感を向上させることができる。
【００７４】
また、第７実施形態、第８実施形態、第９実施形態においては、耳装着体１００にリケーブル用の端子装置５００、６００が設けられているが、図３０に例示するように、ケーブル２００にリケーブル用の端子装置７００を設けてもよい。図３０に例示する音響装置１０の端子装置７００は、雌部材７１０及び雄部材７２０により構成される。図３０の例では、耳装着体１００から延びるケーブル２１０の端部に雌部材７１０が設けられている。雄部材７２０は、図示しない再生装置につながるケーブル２２０の端部に設けられている。この構成によれば、第７実施形態、第８実施形態及び第９実施形態よりも、音響ユニット３００の構成を単純にすることができる。この構成を採用する場合、耳装着体１００から延びるケーブル２１０の長さは、例えば６ｃｍ乃至１０ｃｍに選定される。ケーブル２１０の長さが短すぎると、雌部材７１０が頬に触れやすくなる。その結果、寝ホンとしての使用に適さなくなる可能性がある。ケーブル２１０の長さが長すぎると、ケーブル２００の全長が長くなりすぎるといった不具合発生の可能性がる。この構成を採用する場合、端子装置７００を覆う柔軟な部材を装備することが好ましい。硬い端子装置７００が皮膚に直接触れるのを防止するためである。
【００７５】
また、上記実施形態では、放音側端部３１０の形状を円板状としたが、外方に突出する球状としてもよい。ここで言及する円板状には楕円板状が含まれる。また、球状には楕円球状が含まれる。
【００７６】
また、上記実施形態では、胴部３２０の形状を円柱状としたが、ここで言及する円柱状には、楕円柱状が含まれる。
【００７７】
また、第１実施形態乃至第６実施形態において、非放音側端部３３０の形状を円板状としたが、外方に突出する球状としてもよい。
【００７８】
また、第７実施形態において、端子装置５００の端部（図示右側端部）の形状を、円板状又は外方に突出する球状としてもよい。
【００７９】
放音側端部３１０の形状及び非放音側端部３２０の形状を楕円板状にするとともに、胴部３３０の形状を楕円柱状にすることにより、正面視及び背面視で楕円形のカプセル形状の音響ユニット３００を実現することができる。
【００８０】
また、上記実施形態において、ケーシング本体３４１と端部材３４２との互いの固定部は、嵌合構造又は螺合構造により実現し得る。螺合構造の場合、ケーシング本体３４１の端部材３４２側の端部には雌螺子部が設けられ、端部材３４２のケーシング本体３４１側の端部には雌螺子部が設けられる。そして、ケーシング本体３４１の雌螺子部と端部材３４２の雌螺子部とが互いに螺合することにより、ケーシング本体３４１と端部材３４２とが互いに固定される。すなわち両者は一体化する。この場合、図３１に例示するように、ケーシング本体３４１と端部材３４２との間に、弾性部材３４４を設けておくことが好ましい。ケーシング本体３４１と端部材３４２との間に弾性部材３４４が存在することにより、ケーシング３４０内における電気音響変換器１５０のがたつきを防止し、又は、電気音響変換器１５０の過剰な締め付けを防止することができる。弾性部材３４４の例として、コイルばねを挙げることができる。また、弾性部材３４４の別の例として、管状又は環状のゴムを挙げることができる。
【００８１】
また、上記実施形態では、出張部の例としてブッシング３２１を示したが、出張部は端部材３４２の一部であってもよい。
また、上記実施形態では、皮膚接触部材４００の例として、遮音性を有するものを示したが、遮音性は皮膚接触部材４００の必須の特性ではない。よって、皮膚接触部材４００として音声を良好に透過し得るものを使用することも可能である。このような皮膚接触部材４００の例として、通気性を有するスポンジを挙げることができる。
また、上記実施形態において、音響ユニット３００と皮膚接触部材４００との間の摩擦力が十分ではない場合には、音響ユニット３００と皮膚接触部材４００との間の摩擦力を増大させるべく両者間に介在部材（不図示）を設けることが好ましい。介在部材の例として、音響ユニット３００の胴部３３０に環装可能なゴム製のリング又はチューブを挙げることができる。
【００８２】
以上のように、本明細書には、以下の内容が開示されている。
（１−１）
耳（耳１０００）に装着して使用する音響装置（音響装置１乃至１０）であって、
前記音響装置は、
音響ユニット（音響ユニット３００）と、皮膚接触部材（皮膚接触部材４００、４２０、４３０、４４０、４５０、４６０、４７０、４８１、４８２）と、を有し、
前記音響ユニットは、その一端部（放音側端部３１０）から音を放出する装置であり、
前記音響ユニットは、硬質体であり
前記音響ユニットは、側方から視たときに、その全体が前記皮膚接触部材で覆われているか又はその他端部（非放音側端部３２０）を除く大部分が前記皮膚接触部材で覆われており、
前記音響ユニットは、少なくとも前記一端部を一般的な成人の外耳孔（外耳孔１０１０）に余裕をもって挿入できる程に小径であり、且つ、その全体を一般的な成人の耳甲介腔（耳甲介腔１０２０）に余裕をもって収容可能な程に短寸であり、
前記音響ユニットは、前記一端部と前記他端部とを有し、
前記一端部と前記他端部との間には胴部（胴部３３０）が存在し、
前記一端部、前記胴部及び前記他端部は、互いに同軸又は略同軸に配置されており、
前記皮膚接触部材は、柔軟性及び弾力性を有する軟質体であり、
前記皮膚接触部材は、前記音響ユニットを外耳道（１０３０）に向けて保持する、音響装置。
この構成によれば、本明細書に開示されている音響装置を耳に装着したときに、硬質体である音響ユニットは耳に接触しない。耳に接触するのは、軟質体である皮膚接触部材のみである。したがって、本明細書に開示されている音響装置は、長時間装着しても痛くなりにくい。本明細書に開示されている音響装置を耳に装着した状態で、その耳を枕など当接対象に当てても、音響ユニットは全くといってよいほど当接対象と干渉しない。音響ユニットが当接対象と干渉したとしても、音響ユニットと耳の皮膚との間に皮膚接触部材が介在するため、音響ユニットが耳の皮膚に接触することはない。したがって、本明細書に開示されている音響装置は、寝ホンすなわち、ユーザが寝床に寝そべりながら音楽などを聴く態様での使用に適している。これが、本明細書に開示されている音響装置を「Ｔｈｅ寝ホン。」と名付けた由来である。
【００８３】
（１−２）
前記他端部は、前記他端部から前記胴部の外周よりも外方に出っ張った出張部（ブッシング３２１）を有し、
前記皮膚接触部材は、前記出張部を受け入れ可能な切欠部（切欠部４５１、４６１）を有する、（１−１）の音響装置。
この構成によれば、皮膚接触部材と出張部との干渉を回避し、音響ユニットの全体又は大部分を皮膚接触部材で覆うことができる。
【００８４】
（１−３）
前記出張部は、前記他端部に設けられたブッシング（ブッシング３２１）の一部であり、
前記音響ユニットから前記ブッシングを通してケーブル（ケーブル２００）が引き出されている、（１−２）の音響装置。
この構成によれば、音響ユニットから延びるケーブルの付け根部分がブッシングにより保護される。
【００８５】
（１−４）
前記音響ユニットは、電気音響変換器（電気音響変換器１５０）を内蔵しており、
前記電気音響変換器は、前記胴部に収容されており、
前記電気音響変換器の放音部（放音部１５０ａ）は、前記一端部又は前記一端部と前記胴部との境界部に位置し、
前記胴部は、円筒状であり、
前記電気音響変換器は、円柱状であり、
前記電気音響変換器の側面は、前記胴部の内面に近接又は接触しており、
前記胴部の前記電気音響変換器よりも前記他端部側に存在する余剰空間において、前記電気音響変換器の信号入力端子と前記ケーブルとが互いに電気的に接続されており、
前記余剰空間の容積は、前記音響変換器の体積よりも小さい、（１−１）乃至（１−３）のいずれかの音響装置。
この構成によれば、音響ユニットを、上記のように小径且つ短寸にすることができる。
【００８６】
（１−５）
前記一端部及び前記他端部の形状は、円板状又は外方に突出する球状であり、
前記胴部の形状は、円柱状である、（１−１）乃至（１−４）のいずれかの音響装置。
この構成によれば、両端部が円板状又は外方に突出する球状のシンプルなカプセル形状の音響ユニットを備えた音響装置を実現できる。
【００８７】
（１−６）
前記音響装置を耳に装着したときに、
前記一端部は外耳孔に収容され得る、（１−１）乃至（１−５）のいずれかの音響装置。
この構成によれば、音響ユニットから放音される音を外耳道内に効率良く導入できる。
【００８８】
（１−７）
前記耳装着体を前記耳に装着したときに、前記放音部は前記外耳道内に配置され、前記電気音響変換器の前記放音部とは反対側の端部（後端部１５０ｂ）は前記外耳道外に配置される（１−１）乃至（１−６）のいずれかの音響装置。
この構成によれば、皮膚接触部材の電気音響変換器よりも外耳道の奥側に位置する部分の肉厚を比較的大きくすることが可能である。よって、皮膚接触部材の材質及び当該部分の肉厚によって種々の音響特性を得ることができる。
【００８９】
（１−８）
前記皮膚接触部材は、前記電気音響変換器の全体が前記外耳道内に配置される程に、前記耳装着体が前記外耳道に深く挿入されるのを防止する過度挿入防止部材として機能する（１−１）乃至（１−７）のいずれかの音響装置。
この構成によれば、外耳孔に余裕をもって挿入できる程に小径の音響ユニットを備えているにもかかわらず、音響ユニットから外耳道を保護することができる。
【００９０】
（２−１）
一端部、胴部及び他端部が互いに略同軸に配置され、当該一端部から放音する音響ユニットを外耳道に向けて保持する皮膚接触部材であって、
前記皮膚接触部材は、前記音響ユニットに前記一端部側から装着され、
前記皮膚接触部材は、側方から視たときに、前記音響ユニットの全体又は大部分を覆い、
前記皮膚接触部材は、柔軟性及び弾力性を有し、
前記皮膚接触部材は、前記他端部から前記胴部の外周よりも外方に食み出した出張部を受け入れ可能な切欠部を有する、皮膚接触部材。
この構成によれば、出張部との干渉を回避して、音響ユニットの全体又は大部分を覆うことが可能な皮膚接触部材を実現できる。
【００９１】
（２−２）
前記切欠部は、前記ケーブルを保護するべく前記他端部に設けられたブッシングを受け入れ可能である、（２−１）の皮膚接触部材。
この構成によれば、ブッシングとの干渉を回避して、音響ユニットの全体又は大部分を覆うことが可能な皮膚接触部材を実現できる。
【符号の説明】
【００９２】
１  音響装置
２  音響装置
３  音響装置
４  音響装置
５  音響装置
６  音響装置
７  音響装置
８  音響装置
９  音響装置
１０  音響装置
１００  耳装着体
１５０  電気音響変換器
１５０ａ  放音部
１５０ｂ  後端部（他端部）
２００  ケーブル
３００  音響ユニット
３１０  放音側端部（一端部）
３２０  非放音側端部（他端部）
３２１  ブッシング（出張部）
４００  皮膚接触部材
４２０  皮膚接触部材
４３０  皮膚接触部材
４４０  皮膚接触部材
４５０  皮膚接触部材
４５１  切欠部
４６０  皮膚接触部材
４６１  切欠部
４７０  皮膚接触部材
４８１  皮膚接触部材
４８２  皮膚接触部材
１０００  耳
１０１０  外耳孔
１０２０  耳甲介腔
３３０  胴部
１０３０  外耳道
【図１】
2020109898.tif 000003
【図２】
2020109898.tif 000004
【図３】
2020109898.tif 000005
【図４】
2020109898.tif 000006
【図５】
2020109898.tif 000007
【図６】
2020109898.tif 000008
【図７】
2020109898.tif 000009
【図８】
2020109898.tif 000010
【図９】
2020109898.tif 000011
【図１０】
2020109898.tif 000012
【図１１】
2020109898.tif 000013
【図１２】
2020109898.tif 000014
【図１３】
2020109898.tif 000015
【図１４】
2020109898.tif 000016
【図１５】
2020109898.tif 000017
【図１６】
2020109898.tif 000018
【図１７】
2020109898.tif 000019
【図１８】
2020109898.tif 000020
【図１９】
2020109898.tif 000021
【図２０】
2020109898.tif 000022
【図２１】
2020109898.tif 000023
【図２２】
2020109898.tif 000024
【図２３】
2020109898.tif 000025
【図２４】
2020109898.tif 000026
【図２５】
2020109898.tif 000027
【図２６】
2020109898.tif 000028
【図２７】
2020109898.tif 000029
【図２８】
2020109898.tif 000030
【図２９】
2020109898.tif 000031
【図３０】
2020109898.tif 000032
【図３１】
2020109898.tif 000033